(57)【要約】【課題】コンクリート製家屋が有する耐震性、耐久性、更には感性の特長を保持しつつ、家屋躯体を構成する四隅の通柱の存在を否定して居住空間のバリエーションの制約ということの課題も解決することとした。【解決手段】床面部と天井面部との各辺の長さより短い巾の耐力壁を該両面部の上下間に亘たると共に、その四辺側縁の任意の設定位置に少なくとも一壁以上直立させて外壁の一部を担う様、三者を配筋及びコンクリート打設により一体的に形成して家屋躯体を構成し、更に床面部及び天井面部の四辺側縁において相互に隣接する耐力壁間の空間部の一部を、窓、ドアー、出入口等の所望の設定用開所とし、且つ残余の所望空間部を外壁にて閉塞して、コンクリート製家屋の特長を保持しつつ、四隅の通柱の存在を否定して居住空間のバリエーションの制約等の技術的課題を解決した中低層用家屋の建築工法。【選択図】図４
2008088790.tif 000002
【特許請求の範囲】
【請求項１】
長方形、或いは正方形の四辺形床面部と、この床面部とで居住空間を構成する天井面部と、この両面部の各辺の長さより短い巾の耐力壁とで成し、この耐力壁を四辺形床面部と天井面部との上下間に亘たると共に、その両者の四辺側縁の任意の設定位置に少なくとも一壁以上直立させて外壁の一部を担う様、該三者を配筋及びコンクリート打設により一体的に形成して家屋躯体を構成し、更に床面部及び天井面部の四辺側縁において相互に隣接する耐力壁間の空間部の一部を、窓、ドアー、出入口等の所望の設定用開所とし、且つ残余の所望空間部を外壁にて閉塞したことを特徴とする中低層用家屋の建築工法。
【請求項２】
床面部と天井面部との複数積層により居住空間を複数階とし、且つ最上階の天井面部をコンクリートスラブにより勾配屋根を形成したことを特徴とする請求項１記載の中低層用家屋の建築工法。
【請求項３】
四辺形床面部と天井面部並びに夫々の四辺側縁の設定位置に直立する複数の耐力壁にて基本面積パターンを構成し、この基本面積パターンに該パターンと同面積或いは異なる面積の連結用面積パターンを併設し、而もその互いに隣接する辺の側縁に位置する耐力壁を共通させたことを特徴とする請求項１記載の中低層用家屋の建築工法。
【請求項４】
耐力壁を、四辺形床面部及び天井面部の端部に片寄らせて該耐力壁間の設定用開所が巾広となる様、直立位置させたことを特徴とする請求項１〜２のいずれか１記載の中低層用家屋の建築工法。
【発明の詳細な説明】
【発明の詳細な説明】
【技術分野】
【０００１】  本発明は、所定の配筋状態においてコンクリートを打設して建設する戸建、或いは集合住宅等の中低層用家屋の建築工法に関する。
【背景技術】
【０００２】  一般的に、中低層用に限らず、コンクリート製の家屋は、予めプランニングされた居住空間の四隅に最下位層から最上段階までの通柱を設定し、且つその四隅の通柱間に床面積に応じ、適宜間柱を付加してこれら通柱、間柱、床面部、天井面一体となる様、配筋、コンクリート打設して家屋躯体を構成している。
従って、これらのコンクリート製の家屋は、そのコンクリートを打設して家屋躯体を構成するも、その通柱は四隅の位置から移動させること、更には本数を削減することは出来ず、居住空間のバリエーションにも限界がある。
特に近時、建設する場所、地域環境への考慮、更には使用目的が、例えば居住専用、或いは店舗、集合住宅等々と多様化しており、上述通りの建築工法では、到底対応することが出来なくなった。
勿論、下記特許文献の如く、コンクリート製基礎に、セメント系、或いは木質系の壁パネルを固定直立させたものが存在する。
これらは、確かにコンクリート製家屋の様に四隅の通柱が不可欠要素とはならないが、居住空間のバリエーションには限界がある。
又、これらはコンクリート製基礎と壁パネルとの別異のものを組合せるものであって、基礎と外壁とをコンクリート打設により一体とするものに比し、耐震性、耐久性、更には感性において異質な存在と言える。【０００３】
【特許文献】特開２００２−３５７００５号・・・・・文献１
【発明の開示】
【発明が解決しようとする課題】
【０００４】  本発明は、コンクリート製家屋が有する耐震性、耐久性、更には感性の特長を保持しつつ、家屋躯体を構成する四隅の通柱の存在を否定して居住空間のバリエーションの制約ということの課題も解決しようとするものである。
【課題を解決するための手段】
【０００５】  以上の課題を解決するために本発明は、床面部と天井面部との各辺の長さより短い巾の耐力壁を該両面部の上下間に亘たると共に、その四辺側縁の任意の設定位置に少なくとも一壁以上直立させて外壁の一部を担う様、三者を配筋及びコンクリート打設により一体的に形成して家屋躯体を構成し、更に床面部及び天井面部の四辺側縁において相互に隣接する耐力壁間の空間部の一部を、窓、ドアー、出入口等の所望の設定用開所とし、且つ残余の所望空間部を外壁にて閉塞して、コンクリート製家屋の特長を保持しつつ、四隅の通柱の存在を否定して居住空間のバリエーションの制約等の技術的課題を解決した中低層用家屋の建築工法。
【発明の効果】
【０００６】（１）請求項１により、床面部と天井面部、更には耐力壁にてコンクリート打設による家屋躯体を構成するので、家屋躯体を構成する四隅の通柱が不要で、而もその躯体強度上必要とする通柱は、任意の位置に設定できる耐力壁にて対応させているので、この耐力壁の位置変更によって居住空間の多彩なバリエーションが得られる。【０００７】（２）請求項２により、最上階の天井面部をコンクリートスラブにより勾配屋根とすれば、陸屋根、寄棟、切妻等の屋根へのバリエーション拡大がより促進できる。【０００８】（３）請求項３により、床面部、天井面部及び耐力壁にて構成された基本面積パターンと、同面積或いは異なる面積の連結用面積パターンを併設し、而もその互いに隣接する辺の側縁に位置する耐力壁を共通させたから、居住空間の拡大等、よりバリエーション展開が図れる。【０００９】（４）請求項４により、耐力壁を、四辺形床面部及び天井面部の端部に片寄らせて直立位置させることにより、該耐力壁間の設定用開所の巾広が自在に設定でき、一層のバリエーション展開が図れる。
【発明を実施するための最良の形態】
【００１０】  以下本発明を実施形態の図面に基づいて説明する。
図１は本発明中低層用家屋の建築工法に係る寄棟型集合住宅の斜視図を示し、家屋躯体Ｈと、寄棟屋根Ｒｙタイプとより成る３階建としている。
図２は同様に陸屋根Ｒｒタイプであって、３階建の店舗タイプと成っている。
而して、図３、図４に示す如く、長方形、或いは正方形の四辺形床面部１と、この床面部１と天井面部２と、更に耐力壁３にて居住空間Ｘを構成しており、天井面部２は中間階居住空間Ｘｂにおける床面部１ｂとなり、更に最上階居住空間Ｘｃの床面部１ｃとなり、且つ天井面部２はコンクリートスラブにより陸屋根とする。更に所望の寄棟、切妻の勾配屋根を上乗せしてもよく、又、コンクリートスラブを直接勾配屋根に形成してもよい。
具体的には、耐力壁３の巾の長さＳを床面部１及び天井面部２の各辺の長さＲより短くし、耐力壁３を床面部１と天井面部２の上下間に亘たると共に、その両者１、２の四辺側縁の任意の設定位置に少なくとも一壁以上直立させ、家屋躯体Ｈの外壁Ｈａの一部を担う様、該三者１、２、３を配筋及びコンクリート打設により一体的に形成して家屋躯体Ｈを構成する。【００１１】  更に床面部１及び天井面部２の四辺側縁において相互に隣接する耐力壁３間の空間部Ｄの一部Ｄａを、窓４、ドアー５、出入口６、階段７等の所望の設定用開所とし、且つ残余の所望空間部Ｄｂを外壁Ｈａにて閉塞する。
図５は、天井面部２と耐力壁３との配筋状態を示す横断面図で、縦横筋９，１０が交差して配筋されている。図６は同上の縦断面図である。
図７は、床面部１の配筋状態を示し、床面部１と基礎部８、更には耐力壁３とが縦横筋９，１０が交差して配筋されている。
【実施例】
【００１２】  図７〜９は、床面部１の床面積に対応して、耐力壁３の配置状態を示し、耐力壁３の巾の長さを１．５ｍ、厚み２５ｃｍと設定している。
▲１▼図７は、床面部１の床面積を４ｍ×１５ｍ＝６０ｍ２の長方形とし、夫々の辺に、２壁を配置する。この場合短辺側はその耐力壁３片寄らせてその空間部Ｄを狭くして配置する。
▲２▼図８は、床面積を７ｍ×７ｍ＝４９ｍ２／約５０ｍ２の正方形とし、中央を中庭Ｈｂとしている。
▲３▼図９は、図６を基本面積パターンＰとしてを構成し、この基本面積パターンＰに該パターンと同面積或いは異なる面積の連結用面積パターンＰｘを併設し、而もその互いに隣接する辺の側縁に位置する耐力壁３を共通する。
【図面の簡単な説明】
【００１３】
【図１】  本発明中低層用家屋の建築工法に係る寄棟型住宅の斜視図
【図２】  本発明中低層用家屋の建築工法に係る陸屋根型集合住宅の斜視図
【図３】  同上の縦断面図
【図４】  同上の横断面図
【図５】  天井面部と耐力壁との配筋状態を示す横断面図
【図６】  同上の縦断面図
【図７】  床面部と基礎部及び耐力壁との配筋状態を示す縦断面図
【図８】  床面部の床面積に対応した耐力壁の配置状態図
【図９】  同上の異なる配置状態図
【図１０】  同上の異なる配置状態図
【符号の説明】
【００１４】  Ｈ    家屋躯体
Ｒｙ  寄棟屋根
Ｒｒ  陸屋根
Ｘｂ  中間階居住空間
Ｘｃ  最上階居住空間
Ｘ    居住空間
Ｈａ  外壁
Ｐ    基本面積パターン
Ｐｘ  連結用面積パターン
１    四辺形床面部
２    天井面部
３    耐力壁
４    窓
５    ドアー
６    出入口
７    階段
９    縦筋
１０  横筋
【図１】
2008088790.tif 000003
【図２】
2008088790.tif 000004
【図３】
2008088790.tif 000005
【図４】
2008088790.tif 000006
【図５】
2008088790.tif 000007
【図６】
2008088790.tif 000008
【図７】
2008088790.tif 000009
【図８】
2008088790.tif 000010
【図９】
2008088790.tif 000011
【図１０】
2008088790.tif 000012